(57)【要約】【課題】良質な環状画像を得ることが出来、且つ耐用期間の長い高品質なパノラマ画像ブロックの提供。【解決手段】上面中央の上位中央面１と、上面周縁部の上位周縁面２と、下面周縁部の下位周縁面３と、下面中央部の下位中央面４を具備した透光素材より成る回転体状の透光ブロック５と、当該透光ブロック５の下位周縁部に組配されて前記上位周縁面２からの入射光を当該回転体内を通過して上位中央面１へ導く反射鏡を構成する下位反射ブロック７と、同透光ブロック５の上位中央に前記上位中央面１と着接する状態に組配され前記下位周縁面３からの反射光を当該回転体内を通過して下位中央面４へ導く反射鏡を構成する上位反射ブロック６とで構成されたパノラマ画像ブロック。【選択図】　　　図１
2004012775.tif 000002
【特許請求の範囲】
【請求項１】
上面中央の上位中央面（１）と、上面周縁部の上位周縁面（２）と、下面周縁部の下位周縁面（３）と、下面中央部の下位中央面（４）を具備した透光素材より成る回転体状の透光ブロック（５）と、当該透光ブロック（５）の下位周縁部に組配されて前記上位周縁面（２）からの入射光を当該回転体内を通過して上位中央面（１）へ導く反射鏡を構成する下位反射ブロック（７）と、同透光ブロック（５）の上位中央に前記上位中央面（１）と着接する状態に組配され前記下位周縁面（３）からの反射光を当該回転体内を通過して下位中央面（４）へ導く反射鏡を構成する上位反射ブロック（６）と、で構成されたパノラマ画像ブロック。
【請求項２】
上面中央の上位中央面（２１）と、上面周縁部の上位周縁面（２２）と、下面周縁部の下位周縁面（２３）と、下面中央部の下位中央面（２４）に面した回転体状の閉鎖空間（１２）を内包する透光素材より成る回転体状の調光ブロックであって、
前記上位周縁面（２２）を構成する上位透光ブロック（８）と、当該上位透光ブロック（８）の外縁部に連結されて前記上位周縁面（２２）からの入射光を前記上位中央面（２１）へ導く反射鏡を構成する下位反射ブロック（９）と、前記上位透光ブロック（８）の内縁部に連結されて前記下位周縁面（２３）からの反射光を前記下位中央面（２４）へ導く反射鏡を構成する上位反射ブロック（１０）と、前記下位反射ブロック（９）の内縁部に連結されて前記上位中央面（２１）からの反射光を出射させる下位透光ブロック（１１）と、を組み合わせて成るパノラマ画像ブロック。
【発明の詳細な説明】
【０００１】
【発明の属する技術分野】
本発明は、撮像部周辺の三次元空間像を広角に取り込み、環状画像として結像させ得るパノラマ画像ブロックの構造に関する。
【０００２】
【従来の技術】
従来、パノラマ画像ブロックは、上面中央の上位中央面と、上面周縁部の上位周縁面と、下面周縁部の下位周縁面と、下面中央部の下位中央面を具備した透光素材より成る回転体状の一体調光ブロックであって、前記下位周縁面が、当該調光ブロックの前記上位周縁面からの入射光を当該回転体内を通過して上位中央面へ導く反射鏡を構成し、前記上位中央面が、同調光ブロックの前記下位周縁面からの反射光を当該回転体内を通過して下位中央面へ導く反射鏡を構成する様に製造されていた。
【０００３】
【発明が解決しようとする課題】
前記の如く、一体調光ブロックの上位中央面や下位周縁面に、当該調光ブロック内側への反射機能を与えるには、所定の面に薄膜を形成する等の鏡面処理等を施す必要がある。しかしながら、蒸着やスパッタリング等のメッキ手法によって薄膜素材を強固に付着させる為には、付着先となる基面に対する研磨が制限され、仮に、反射の精度を高めるべく高質に研磨した場合には薄膜の付着強度が低下し剥離し易い状態となる、逆に、薄膜素材の付着強度に重点を置けば、反射光の散乱が増し前記上位中央面や下位周縁面に与え得る反射率が低下することとなるので、より良質なパノラマ画像を得ることが出来、且つ耐用期間の長い高品質なパノラマ画像ブロックを得るにあたっての大きな課題となっていた。
【０００４】
本発明は、上記実情に鑑みて成されたものであって、良質な環状画像を得ることが出来、且つ耐用期間の長い高品質なパノラマ画像ブロックの提供を目的とする。
【０００５】
【課題を解決するための手段】
上記課題を解決するために成された本発明による第一のパノラマ画像ブロックは、上面中央の上位中央面と、上面周縁部の上位周縁面と、下面周縁部の下位周縁面と、下面中央部の下位中央面を具備した透光素材より成る回転体状の透光ブロックと、当該透光ブロックの下位周縁部に組配されて前記上位周縁面からの入射光を当該回転体内を通過して上位中央面へ導く反射鏡を構成する下位反射ブロックと、同透光ブロックの上位中央に前記上位中央面と着接する状態に組配され前記下位周縁面からの反射光を当該回転体内を通過して下位中央面へ導く反射鏡を構成する上位反射ブロックと、で構成されたことを特徴とする。
【０００６】
また、上記課題を解決するために成された本発明による第二のパノラマ画像ブロックは、上面中央の上位中央面と、上面周縁部の上位周縁面と、下面周縁部の下位周縁面と、下面中央部の下位中央面に面した回転体状の閉鎖空間を内包する透光素材より成る調光ブロックであって、前記上位周縁面を構成する上位透光ブロックと、当該上位透光ブロックの外縁部に連結されて前記上位周縁面からの入射光を前記上位中央面へ導く反射鏡を構成する下位反射ブロックと、前記上位透光ブロックの内縁部に連結されて前記下位周縁面からの反射光を前記下位中央面へ導く反射鏡を構成する上位反射ブロックと、前記下位反射ブロックの内縁部に連結されて前記上位中央面からの反射光を出射させる下位透光ブロックと、を組み合わせて成ることを特徴とする。
【０００７】
尚、組み合わせて成るとは、組み合わされる構成要素が上記ブロックに制限されることを意味するものではなく、当該パノラマ画像ブロックによって得られる環状画像へのノイズの混入を防止する為のブロックや、当該パノラマ画像ブロックの支持固定に必要なブロックと共に組み合わせても良い。上記各ブロックは、例えば、反射機能を必要とする部分やその他の部分から成る多重構造を妨げるものでは無いが、境目の無い環状画像を得る上では複数部材で構成されていないことが望ましく、特に透光ブロックについては、不要なレンズ効果が生じない様に均一な厚みとすることが望ましい。
【０００８】
また、組み合わせられたパノラマ画像ブロックが内包する閉鎖空間とは、密閉空間でも良いし、一部が外界と連通する空間であってもそのほぼ全域が前記各ブロックによって閉鎖されていれば良い。当該閉鎖空間が密閉空間である場合には、真空であっても良いし、光透過性を有する気体、流動体或いは固体が充填されていても良い。また、密閉されていない場合において、固体が充填されていても良い。
【０００９】
【発明の実施の形態】
以下、本発明によるパノラマ画像ブロックの実施の形態を図面に基づき説明する。
図１は、本発明によるパノラマ画像ブロックの第一の実施の形態を示したものである。このパノラマ画像ブロックは、上面中央の上位中央面１と、上面周縁部の上位周縁面２と、下面周縁部の下位周縁面３と、下面中央部の下位中央面４を具備した透光素材より成る回転体の透光ブロック５と、当該透光ブロック５の下位周縁部に組配されて前記上位周縁面２からの入射光を当該回転体内を通過して上位中央面１へ導く反射鏡を構成する下位反射ブロック７と、同透光ブロック５の上位中央に前記上位中央面１と着接する状態に組配され前記下位周縁面３からの反射光を当該回転体内を通過して下位中央面４へ導く反射鏡を構成する上位反射ブロック６とから成る三つのブロック５，６，７で構成されている。
【００１０】
前記透光ブロック５は、前記上位周縁面２から入射した光を忠実に前記下位周縁面３へ到達させることができる素材の一つとして無色透明（必要に応じて有色透明でも可。）な紫外線硬化樹脂が用いられ、前記上位中央面１が曲率が均一な凹曲面、前記上位周縁面２が曲率が均一な凸曲面、前記下位周縁面３が曲率が等しい凸曲面、前記下位中央面４が平面（仕様によっては、凹面或いは凸面でも良い。）として成形されたものである。当該透光ブロック５の上位周縁面２の曲率調整や当該透光ブロック５の素材選定によって外界から当該透光ブロック５へ入射する際の屈折率を調整し、所望の画角（当該パノラマ画像ブロックにによって得られた環状画像の幅に相当する撮像範囲を前記上位周縁面２への入射角度で表したもの。）設定及び得られる環状画像の向心方向（円心方向）へのオリジナル像に対する変形度合いを調整することができる。
【００１１】
そして、当該例における前記下位反射ブロック７は、前記透光ブロック５の下位周縁面３に全面的に密着するすり鉢状の環状反射面１７を具備し、当該環状反射面１７の内側に前記透光ブロック５の下位中央面４の全体が覗く円形の窓孔１８を具備した回転体状のブロックである。当該下位反射ブロック７には、前記上位周縁面２から入射した光を忠実に反射できるステンレス等の素材が用いられており、当該素材に研磨処理を施すことによって形成された環状反射面１７は、前記上位周縁面２から入射した光に何ら色彩を加える事なく前記上位中央面１に導くこととなる。
【００１２】
更に、下位反射ブロック７には、レンズホルダに装着する際の位置決めに配慮した成形が施された支持面１３が形成されている。支持面１３は、レンズホルダが形作る所定の軸に、当該下位反射ブロック９を具備したパノラマ画像ブロックの光軸１４を一致させ得る構造が必要であり、当該例においては前記パノラマ画像ブロックの光軸１４を中心とした同心円上の支持段１５を具備した正確な回転体として成形されている。
【００１３】
また、前記上位反射ブロック６は、前記透光ブロック５の上位中央面１に全面的に密着するドーム状の円形反射面１６を具備した回転体状のブロックである。当該上位反射ブロック６にも、前記環状反射面１７で反射された光を忠実に反射できる素材が用いられており、当該素材に研磨処理を施すことによって形成された円形反射面１６は、前記環状反射面１７で反射された光に何ら色彩を加える事なく前記下位中央面４に導くこととなる。
【００１４】
図２は、本発明によるパノラマ画像ブロックの第二の実施の形態を示したものである。このパノラマ画像ブロックは、上面中央の上位中央面２１と、上面周縁部の上位周縁面２２と、下面周縁部の下位周縁面２３と、下面中央部の下位中央面２４に面した回転体状の閉鎖空間１２を内包する透光素材より成る回転体状の調光ブロックであって、前記上位周縁面２２を構成する上位透光ブロック８と、当該上位透光ブロック８の外縁部に連結されて前記上位周縁面２２からの入射光を前記上位中央面２１へ導く反射鏡を構成する下位反射ブロック９と、前記上位透光ブロック８の内縁部に連結されて前記下位周縁面２３からの反射光を前記下位中央面２４へ導く反射鏡を構成する上位反射ブロック１０と、前記下位反射ブロック９の内縁部に連結されて前記上位中央面２１からの反射光を出射させる下位透光ブロック１１と、を組み合わせて成るものである。
【００１５】
前記上位透光ブロック８には、前記上位周縁面２２から入射した光を忠実に前記下位周縁面２３へ到達させることができる素材の一つとして無色透明（必要に応じて有色透明でも可。）な紫外線硬化樹脂が用いられている。
【００１６】
前記上位透光ブロック８は、その外面、即ち前記上位周縁面２２が曲率が均一な凸曲面となり、その中央に前記上位反射ブロック１０が装着される円形の窓孔１９が設けられている。前記上位透光ブロック８の上位周縁面２２の曲率調整や厚み調整、或いは素材選定によって外界から前記上位透光ブロック８へ入射する際の屈折率を調整し、所望の画角設定及び得られる環状画像の向心方向（円心方向）へのオリジナル像に対する変形度合いを調整することができる。
【００１７】
また、前記下位透光ブロック１１は、前記上位中央面２１で反射した光を忠実に当該パノラマ画像ブロック外へ出射させることができる素材の一つとして無色透明（必要に応じて有色透明でも可。）な紫外線硬化樹脂が用いられ、前記下位反射ブロックの内縁部に装着される凸レンズとして成形されている。当該下位透光ブロック１１の下位中央面２４の曲率調整や厚み調整、或いは素材選定によって、前記下位透光ブロック１１から外界へ出射する際の屈折率を調整し、出射光の焦点の位置を調整することができる。尚、当該例においては、前記上位透光ブロック８及び下位透光ブロック１１共に、全面に亘って均等な厚みに設定されている。
【００１８】
当該例における前記下位反射ブロック９は、前記上位透光ブロック８の外縁部に連結するすり鉢状の環状反射面（下位周縁面２３。以下、環状反射面２３と記す。）を具備し、当該環状反射面２３の内側に前記下位透光ブロック１１が収まる円形の窓孔２０を具備した回転体状のブロックである。当該下位反射ブロック９には、前記上位周縁面２から入射した光を忠実に反射できるステンレス等の素材が用いられており、当該素材に研磨処理を施すことによって形成された環状反射面２３は、曲率が均一な凹曲面を呈し、前記上位周縁面から入射した光に何ら色彩を加える事なく前記上位中央面２１に導くこととなる。
【００１９】
更に、前記下位反射ブロック９には、レンズホルダに装着する際の位置決めに配慮した成形が施された支持面２５が形成されており、当該支持面２５は、レンズホルダが形作る所定の軸に、当該下位反射ブロックを具備したパノラマ画像ブロックの光軸２６を一致させ得る構造が必要であり、当該例においては前記パノラマ画像ブロックの光軸２６を中心としたスロープ２７を具備した回転体として成形されている。尚、前記いずれの実施の形態に関わらず、各ブロックの接合にや光透過性の高い既存の接着剤を用いる等すればよい。
【００２０】
前記上位反射ブロック１０は、前記上位透光ブロック８の外縁部に連結する円盤状のブロックである。当該上位反射ブロック１０は、前記下位反射ブロック９の環状反射面２３で反射された光を忠実に反射できる素材が用いられており、当該素材に研磨処理を施すことによって形成され曲率が等しいドーム状の円形反射面（上位中央面２１。以下、円形反射面２１と記す。）を具備する。当該上位反射ブロック１０は、前記上位透光ブロック８の窓孔１９に、当該円形反射面２１を下に向ける形で固定される。而して、当該円形反射面２１は、前記環状反射面２３で反射された光に何ら色彩を加える事なく前記下位中央面２４に導くこととなる。尚、当該円形反射面２１の曲率を調整することによっても、当該パノラマ画像ブロックにおける下位中央面２４からの出射光の焦点の位置を調整することができる。
【００２１】
【発明の効果】
以上の如く、本発明によるパノラマ画像ブロックによれば、上位反射ブロック並びに下位反射ブロックのいずれにあっても、ブロックの内側に鏡面が形成されるので、上位中央面や下位周縁面に、当該調光ブロック内側への反射機能を与えるに際して研磨が制限されることがなく、また、蒸着やスパッタリング等のメッキ手法が施される基面の仕上げ（粗度）に鏡面の粗度が影響を受けることもないので、パノラマ画像ブロックが具備する各反射面での反射光の散乱を極力抑えることができ、前記上位中央面や下位周縁面に与え得る反射率を高いレベルに維持することができる。しかも、反射率を高いレベルに維持した際にも鏡面の耐用期間を損ねることは無く、良質な環状画像を得ることが出来、且つ耐用期間の長い高品質なパノラマ画像ブロックの提供に寄与するものである。
【図面の簡単な説明】
【図１】（イ）（ロ）
本発明によるパノラマ画像ブロックの一例を示す断面図及びその分解図である。
【図２】（イ）（ロ）
本発明によるパノラマ画像ブロックの一例を示す断面図及びその分解図である。
【符号の説明】
１　上位中央面，２　上位周縁面，３　下位周縁面，４　下位中央面，
５　透光ブロック，６　上位反射ブロック，７　下位反射ブロック，
８　上位透光ブロック，９　下位反射ブロック，１０　上位反射ブロック，
１１　下位透光ブロック，１２　閉鎖空間，１３　支持面，
１４　光軸，１５　支持段，１６　円形反射面，１７　環状反射面，
１８　窓孔，１９　窓孔，２０　窓孔，
２１　上位中央面，２２　上位周縁面，２３　下位周縁面，
２４　下位中央面，　２５　支持面，２６　光軸，２７　スロープ，
【図１】
2004012775.tif 000003
【図２】
2004012775.tif 000004